(57)【要約】【課題】施設の外側から内部設備の点検作業を容易に行い、また、窓部分の清掃も施設の外側から簡単に行うと共に、施設の外側へ海水が飛散する事態を確実に阻止した可動式点検窓装置を提供する。【解決手段】本発明に係る可動式点検窓装置は、海水等の水滴が飛散する設備を備えた施設の側面に設けた窓枠Ｐ１・Ｐ２・Ｐ３・Ｐ４に、方形状に形成された透明なルーバー１を、垂直方向に回動可能に取り付けている。また、気化器の上方両端側に設置したトラフからオーバーフローさせた海水を、気化器の側面に流し落とすことで、液化燃料を気化する気化器設備を備えた施設における可動式点検窓装置であって、気化器を収容している施設の側面に設けた窓枠Ｐ１・Ｐ２・Ｐ３・Ｐ４に、方形状に形成された透明なルーバー１を、垂直方向に回動可能に取り付けている。【選択図】図１
2006283313.tif 000002
【特許請求の範囲】
【請求項１】
海水等の水滴が飛散する設備を備えた施設の側面に設けた窓枠に、方形状に形成された透明なルーバーを、垂直方向に回動可能に取り付けたことを特徴とする可動式点検窓装置。
【請求項２】
気化器の上方両端側に設置したトラフからオーバーフローさせた海水を、気化器の側面に流し落とすことで、液化燃料を気化する気化器設備を備えた施設における可動式点検窓装置であって、気化器を収容している施設の側面に設けた窓枠に、方形状に形成された透明なルーバーを、垂直方向に回動可能に取り付けたことを特徴とする可動式点検窓装置。
【請求項３】
ルーバーは、窓枠の下方に複数段に配置されている請求項１または２に記載の可動式点検窓装置。
【請求項４】
窓枠に取り付けたルーバーの上方が開放され、もしくは、ルーバーの上方に透明板が配置されている請求項１乃至３のいずれかに記載の可動式点検窓装置。
【請求項５】
窓枠の左右両端に軸受を設置する一方、ルーバーの左右両端に回転軸を設置し、窓枠の軸受によりルーバーの回転軸を保持して、窓枠にルーバーを回動可能に取り付けた請求項１乃至４のいずれかに記載の可動式点検窓装置。
【請求項６】
窓枠に複数段に取り付けたルーバーにおいて、各ルーバーの回転軸同士を、連結アームにより連結している請求項１乃至５のいずれかに記載の可動式点検窓装置。
【請求項７】
隣接する複数の窓枠に取り付けたルーバーにおいて、水平方向において隣接する各ルーバーを、連結軸により連結している請求項１乃至６のいずれかに記載の可動式点検窓装置。
【発明の詳細な説明】
【技術分野】
【０００１】
本発明は、海水等の水滴が飛散する設備を備えた施設の可動式点検窓装置であり、より具体的には、各種の発電所において使用されている、例えば、ＬＮＧ等の液化燃料を気化するための気化器設備を備えた施設における可動式点検窓装置に関するものである。
【背景技術】
【０００２】
従来において、ＬＮＧ等の液化燃料を気化する場合には、例えば、図５・図６に示すように、液化燃料を送り込むジグザグ状に束ねられたパイプラインにより形成された気化器の上方両端側に、当該気化器に沿って水平方向に海水を配置するためのトラフを設置し、トラフを流れる海水をオーバーフローさせて気化器の側面に海水を流し落とすことで、パイプラインに送り込まれた液化燃料を気化するものであった。
【０００３】
このような気化器設備の全体は、図５・図６に示すように、排水機能を備えた施設の室内に収容されており、気化器の側面に流し落とした海水が周辺に飛散する事態を防止している。
【０００４】
一方、気化器の両側面の全体に流し落としている海水の状態を確認するために、施設の側面にガラス窓を設置する等して、気化器設備のパトロール点検を、ガラス窓を通して施設の外側から行えるようにしてある。
【０００５】
このパトロール点検は、気化器に送り込まれる液化燃料が、マイナス１６２℃という低温であることから、例えば、気化器の上方における表面に海水中の藻や貝等が付着してしまうと、それよりも下方に位置する気化器の表面に海水を流し落とすことができない事態が生じ、ＯＲＶパネルの一部が局部的に冷やされて気化器本体に損傷を与える恐れがあるため、気化器の表面の全体に海水が適正に流し落とされているかどうかを確認するものである。この気化器のパトロール点検は、１日に約３回以上行っていた。
【０００６】
そして、施設の外側からガラス窓を通して行う気化器設備の点検作業において、気化器の表面に海水中の藻や貝等が付着して海水の流し落とし状態が悪化している事態を確認したときは、気化器設備の稼働を一端停止し、作業員が施設内に入って気化器の表面の清掃を行っていた。
【特許文献１】特になし
【発明の開示】
【発明が解決しようとする課題】
【０００７】
しかしながら、従来においては、気化器設備を収容している施設の側面にガラス窓を設置し、施設の外側からガラス窓を通して気化器設備の点検作業を行っていたが、気化器に流し落とす海水の飛散によりガラス窓の内側が汚れてしまい、また、ガラス窓の内側に藻が付着することもあった。
【０００８】
そのため、施設の外側からガラス窓を通してパトロール点検を行っても、このガラス窓が汚れていて、室内の気化器設備が良く見えない事態が生じていた。
【０００９】
このような事態を回避するには、作業員がガラス窓の内側を常に清掃する必要があるが、非常に面倒であると共に、作業員に負担を強いるものである。
【００１０】
また、施設の外側から気化器設備の点検作業を容易に行うため、図５・図６に示すように、施設のガラス窓を除去して全面開放状態とし、開放部の下側に、斜向状に散水遮蔽板等を設置することも考えられるが、気化器設備においては大量の海水が飛散するため、施設の開放部分からも海水が大量に飛散して、施設の外側を巡回しているパトロール点検中の作業員がずぶ濡れになる弊害や、床面への藻類の付着により作業員が転倒する危険性もある。
【００１１】
そこで、本発明は如上のような従来存した諸事情に鑑み創出されたもので、施設の外側から内部設備の点検作業を容易に行い、また、窓部分の清掃も施設の外側から簡単に行うと共に、施設の外側へ海水が飛散する事態を確実に阻止した可動式点検窓装置を提供することを目的とする。
【課題を解決するための手段】
【００１２】
本発明に係る可動式点検窓装置は、海水等の水滴が飛散する設備を備えた施設の側面に設けた窓枠に、方形状に形成された透明なルーバーを、垂直方向に回動可能に取り付けたことで、上述した課題を解決した。
【００１３】
また、本発明は、気化器の上方両端側に設置したトラフからオーバーフローさせた海水を、気化器の側面に流し落とすことで、液化燃料を気化する気化器設備を備えた施設における可動式点検窓装置であって、気化器を収容している施設の側面に設けた窓枠に、方形状に形成された透明なルーバーを、垂直方向に回動可能に取り付けたことで、同じく上述した課題を解決した。
【００１４】
さらに、ルーバーは、窓枠の下方に複数段に配置されていることで、同じく上述した課題を解決した。
【００１５】
また、窓枠に取り付けたルーバーの上方が開放され、もしくは、ルーバーの上方に透明板が配置されていることで、同じく上述した課題を解決した。
【００１６】
この他、窓枠の左右両端に軸受を設置する一方、ルーバーの左右両端に回転軸を設置し、窓枠の軸受によりルーバーの回転軸を保持して、窓枠にルーバーを回動可能に取り付けたことで、同じく上述した課題を解決した。
【００１７】
また、窓枠に複数段に取り付けたルーバーにおいて、各ルーバーの回転軸同士を、連結アームにより連結していることで、同じく上述した課題を解決した。
【００１８】
加えて、隣接する複数の窓枠に取り付けたルーバーにおいて、水平方向において隣接する各ルーバーを、連結軸により連結していることで、同じく上述した課題を解決した。
【発明の効果】
【００１９】
本発明によれば、各種の施設の外側から施設内の点検作業を容易に行うことができる。より具体的には、施設の外側から気化器設備の点検作業を容易に行うことができる。また、窓部分の清掃も施設の外側から簡単に行うことができると共に、施設の外側へ海水が飛散する事態を確実に阻止することができる。
【００２０】
これは本発明が、海水等の水滴が飛散する設備を備えた施設の側面に設けた窓枠に、方形状に形成された透明なルーバーを、垂直方向に回動可能に取り付けたことによりもたらされる効果である。
【００２１】
また、気化器の上方両端側に設置したトラフからオーバーフローさせた海水を、気化器の側面に流し落とすことで、液化燃料を気化する気化器設備を備えた施設における可動式点検窓装置であって、気化器を収容している施設の側面に設けた窓枠に、方形状に形成された透明なルーバーを、垂直方向に回動可能に取り付けたことによりもたらされる効果である。
【００２２】
すなわち、窓枠に取り付けたルーバーを、窓枠を閉鎖する方向に回動させることで、例えば、気化器に向けて流し落とされている海水が、施設の外側に飛散する事態を確実に阻止することができる。この状態において、ルーバーが透明であることから、施設の外側から気化器設備の点検作業を行うこともできる。
【００２３】
また、窓枠に取り付けたルーバーを、例えば、水平方向に回動させることで、窓部分が開放され、この状態においても、施設の外側から気化器設備の点検作業を充分に行うことができる。
【００２４】
さらに、施設の内側に位置しているルーバー面に海水や藻が付着して汚れたときには、ルーバーを、水平方向、もしくは、水平方向よりも下側に回動させることで、施設の外側から汚れたルーバー面の清掃を容易に行うことができる。
【００２５】
そして、ルーバーは、窓枠の下方に複数段に配置されているので、海水の飛散を防止するのに好ましい高さを備えることができる。また、ルーバーの段数を変えることで、その高さの変更も容易である。さらに、ルーバーが回動する際に必要となるスペースが極めて小さくてすみ、ルーバーの回動過程において、ルーバーが窓枠から大きく突出するようなこともなく、複数段のルーバーにより窓枠を効率良く閉鎖・開放できる。
【００２６】
また、窓枠に取り付けたルーバーの上方が開放されているときは、この開放部分から気化器設備の点検作業を行うことができる。さらに、ルーバーの上方に透明板が配置されているときは、施設の外側へ海水が飛散する事態を確実に阻止できる。
【００２７】
加えて、窓枠の左右両端に軸受を設置する一方、ルーバーの左右両端に回転軸を設置し、窓枠の軸受によりルーバーの回転軸を保持しているので、気化器設備の窓枠において、ルーバーを滑らかに回動させることができる。また、窓枠にルーバーを回動可能に取り付けて、その堅牢性も充分に維持できる。
【００２８】
さらに、窓枠に複数段に取り付けたルーバーにおいて、各ルーバーの回転軸同士を、連結アームにより連結しているので、各ルーバーの回転軸同士を同時に回転させて、複数段に配置されている各ルーバーを、簡単な操作で同時に回動させることができる。
【００２９】
これは、窓枠に複数段に取り付けた各ルーバーが、全て水平方向を向いて窓枠を開放している状態において、連結アームを上方に移動させると、各ルーバーは一緒に仰角方向に回動し、窓枠を閉鎖するものである。また、各ルーバーにより窓枠を閉鎖している状態において、連結アームを下方へ移動させると、各ルーバーは一緒に水平方向を向くように回動し、窓枠を開放するものである。
【００３０】
さらに、隣接する複数の窓枠に取り付けたルーバーにおいて、水平方向において隣接する各ルーバーを、連結軸により連結しているので、一つの窓枠に複数段に取り付けている各ルーバーを回動させると、隣接する窓枠に複数段に取り付けた各ルーバーも一緒に回動することとなり、複数の窓枠におけるルーバーの開放操作・閉鎖操作が極めて容易となり、作業員の負担を軽減している。
【発明を実施するための最良の形態】
【００３１】
以下に、本発明を実施するための最良の形態を、図面を参照して説明する。
【００３２】
本発明は、海水等の水滴が飛散する設備を備えた施設の可動式点検窓装置であり、より具体的には、気化器の上方両端側に設置したトラフからオーバーフローさせた海水を、気化器の側面に流し落とすことで、ＬＮＧ等の液化燃料を気化する気化器設備を備えた施設における可動式点検窓装置である。
【００３３】
この可動式点検窓装置は、例えば、図１に示すように、気化器を収容している施設の側面に設けた窓枠Ｐ１・Ｐ２・Ｐ３・Ｐ４に、方形状に形成された透明なルーバー１を、垂直方向に回動可能に取り付けている。
【００３４】
このルーバー１は、図１・図２に示すように、窓枠Ｐ１・Ｐ２・Ｐ３・Ｐ４の下方に、例えば、三段に配置されており、海水の飛散を防止するのに好ましい高さを備えている。また、水平方向においても、３個のルーバー１が、隣り合うように併設されている。
【００３５】
尚、図に示すルーバー１は、縦方向に三段に配置し、また、水平方向に３個配置しているが、これに限定されることはなく、施設の規模に応じて好ましい配置を適宜選択するものである。
【００３６】
窓枠Ｐ１・Ｐ２・Ｐ３・Ｐ４に取り付けるルーバー１は、耐熱性と強度に優れた高性能樹脂である、例えば、ポリカーボネート製で、図１・図２に示すように、所定の長さと幅を備えた長方形状に形成されている。
【００３７】
ルーバー１の取り付けは、図２に示すように、複数の窓枠Ｐ１・Ｐ２・Ｐ３・Ｐ４において、左右両端に位置する窓枠Ｐ１・Ｐ４に、略Ｕ字枠状の軸受２を設置する。また、この軸受２に対応するルーバー１の両端に、端部回転軸３を固着する。
【００３８】
この端部回転軸３は、軸部３Ａに、ルーバー１の端部を挟み込むようにしてルーバー１に固着される羽根部分３Ｂを固定している。そして、窓枠Ｐ１・Ｐ４の軸受２により、ルーバー１を固着している回転軸３の軸部３Ａを保持することにより、窓枠Ｐ１・Ｐ４にルーバー１を回動可能に取り付けている。
【００３９】
尚、水平方向に併設されている各ルーバー１同士を連結する中間部分の構成は、後述する。
【００４０】
ルーバー１は、窓枠Ｐ１・Ｐ２・Ｐ３・Ｐ４の垂直方向に、１８０°の範囲で回動可能となるように窓枠Ｐ１・Ｐ２・Ｐ３・Ｐ４に保持されている。また、軸受２は、その内面にテフロン（登録商標）加工を施すことにより、ルーバー１を固着している端部回転軸３がスムーズに回動できるようになっている。
【００４１】
窓枠Ｐに取り付けてあるルーバー１の上方は、開放されていても良いし、また、ルーバー１の上方に透明板を配置しても良い。この透明板は、アクリル製またはポリカーボネート製のものを使用する
【００４２】
さらに、窓枠Ｐに複数段に取り付けたルーバー１において、各ルーバー１の端部回転軸３同士を、連結アーム７により連結している。
【００４３】
具体的には、図３に示すように、例えば、窓枠Ｐ３・Ｐ４間に三段に配置した各ルーバー１において、端部回転軸３に、その径方向に向けて突片６を一体的に突設している。
【００４４】
このとき、窓枠Ｐ４に設置している略Ｕ字枠状の軸受２の内径を、大きく形成している。そして、この軸受２により保持する、ルーバー１を固着している端部回転軸３の軸部３Ａも、大径に形成している。このように、軸受２の内径と軸部３Ａを大きく形成することにより、ルーバー１の端部における支持強度を高めている。
【００４５】
具体的には、図３に示すように、三段に配置されている各ルーバー１の端部回転軸３の軸部３Ａ同士を、連結アーム７により連結している。連結アーム７は、縦長の棒状に形成され、その長手方向において、複数の支持アーム片７Ａを同一方向に突出させ、全体として縦長の略Ｅ字状に形成されている。
【００４６】
また、端部回転軸３の軸部３Ａには、その径方向に向けて突片６を一体的に突設している。そして、端部回転軸３の突片６の先端部と、連結アーム７の支持アーム片７Ａの先端部同士を、回動可能に枢着させている。さらに、中央のルーバー１における端部回転軸３の軸部３Ａに、突片６を折曲状に延設して、先端側部分を可動用レバー１１としている。
【００４７】
こうして、作業員の手動により可動用レバー１１を回動させ、連結アーム７を上下のいずれかの方向に移動させることで、各ルーバー１の端部回転軸３同士が一緒に回動するため、三段に配置されている各ルーバー１を、簡単な操作で同時に回動させることができる。
【００４８】
加えて、窓枠Ｐ４には、図３に示すように、連結アーム７の中央よりも若干下側の位置に、仮固定板１３が突設状に設けられている。仮固定板１３の長手方向には、２個の孔１３ａ・１３ｂが設けられている。また、連結アーム７における下方の位置にも、長手方向に２個の孔７ａ・７ｂが設けられている。
【００４９】
そして、図３・図４（ａ）に示すように、可動用レバー１１を手に持って連結アーム７を操作し、仮固定板１３の孔１３ｂと連結アーム７の孔７ｂを合わせて、不図示の固定用ボルト等を貫通させたときには、各ルーバー１が水平方向を向いた開放状態で固定される。
【００５０】
また、図４（ｂ）に示すように、各ルーバー１を回動させ、仮固定板１３の孔１３ａと連結アーム７の孔７ａを合わせて、不図示の固定用ボルト等を貫通させたときには、各ルーバー１が仰角方向に回動してルーバー１の一部が重なり合い、閉鎖した状態で固定される。
【００５１】
尚、可動用レバー１１を手に持って各ルーバー１を手動で回動させる替わりに、不図示の駆動モータを用いて、各ルーバー１を回動させても良い。
【００５２】
また、窓枠Ｐ１・Ｐ２・Ｐ３・Ｐ４におけるルーバー１の下側は、若干開放されている。この部分の外側には、散水遮蔽板１２が、固定金具１２Ａを介して斜向状に固設されている。散水遮蔽板１２は、例えば、ポリカーボネート製の透明な長方形状の板材により形成されている
【００５３】
この他、図２に示すように、隣接する複数の窓枠Ｐ１・Ｐ２・Ｐ３・Ｐ４に取り付けた各ルーバー１において、水平方向に配置された３個の各ルーバー１同士を、連結軸４により連結している。
【００５４】
この連結軸４は、図２に示すように、中央の軸部４Ａを介して両側に羽根部分４Ｂが一体形成され、全体の平面が略Ｈ状に形成されている。そして、連結軸４の両羽根部分４Ｂに、ルーバー１の端部と他のルーバー１の端部を、挟み込むようにして固着している。また、連結軸４の軸部４Ａは、略Ｕ字枠状の中間軸受５により、中間の窓枠Ｐ２・Ｐ３に回動可能に保持されている。
【００５５】
そのため、連結軸４を介して、水平方向に位置している３個のルーバー１同士が、互いに一体となって回動できるようになっている。その結果、連結アーム７の可動用レバー１１を操作して、窓枠Ｐ４・Ｐ３間に三段に取り付けている各ルーバー１を回動させると、それに隣接する窓枠Ｐ３・Ｐ２間に三段に取り付けた各ルーバー１、さらに、隣接する窓枠Ｐ２・Ｐ１間に三段に取り付けた各ルーバー１も一緒に回動することとなり、複数の窓枠Ｐ１・Ｐ２・Ｐ３・Ｐ４における各ルーバー１の開放操作・閉鎖操作が極めて容易となり、作業員の負担を軽減している。
【００５６】
このとき、連結軸４の軸部４Ａを保持している中間軸受５の内面に、テフロン（登録商標）加工を施すことにより、当該軸部４Ａがスムーズに回動できるようになっている。
【産業上の利用可能性】
【００５７】
本発明は、施設の外側から内部設備の点検作業を容易に行い、また、窓部分の清掃も施設の外側から簡単に行うと共に、施設の外側へ海水が飛散する事態を確実に阻止した可動式点検窓装置として、種々の施設に広く利用することができる。
【図面の簡単な説明】
【００５８】
【図１】窓枠に取り付けた各ルーバーにより、窓枠の下方を閉鎖した状態を示す正面図である。
【図２】窓枠への各ルーバーの取り付け状態を示す斜視図である。
【図３】三段に配置した各ルーバーの端部回転軸の軸部を、連結アームにより連結している状態を示す斜視図である。
【図４】可動式点検窓装置の動作を説明するもので、（ａ）は窓枠の下方を開放した状態における連結アーム付近の側面図、（ｂ）は開放状態から閉鎖状態に変わる途中の連結アーム付近の側面図である。
【図５】気化器設備を備えた施設の一例を示す正面図である。
【図６】気化器設備を備えた施設の一例を示す側面図である。
【符号の説明】
【００５９】
Ｐ１・Ｐ２・Ｐ３・Ｐ４…窓枠
１…ルーバー                  ２…軸受
３…端部回転軸
３Ａ…軸部                    ３Ｂ…羽根部分
４…連結軸
４Ａ…軸部                    ４Ｂ…羽根部分
５…中間軸受                  ６…突片
７…連結アーム              ７Ａ…支持アーム片
７ａ…孔                      ７ｂ…孔
１１…可動用レバー
１２…散水遮蔽板            １２Ａ…固定金具
１３…仮固定板
１３ａ…孔                    １３ｂ…孔
【図１】
2006283313.tif 000003
【図２】
2006283313.tif 000004
【図３】
2006283313.tif 000005
【図４】
2006283313.tif 000006
【図５】
2006283313.tif 000007
【図６】
2006283313.tif 000008